(57)【要約】【課題】手軽で、使い勝手の良い連結具の提供を目的とする。また、手軽で、使い勝手のよい壁掛け具、連結部の構造の提供を目的とする。【解決手段】被連結部１に連結対象物２を連結する連結具であって、  被連結部１に固定される面ファスナ３と、  該面ファスナ３に着脱自在に形成されて連結対象物２に取り付けられる他の面ファスナ４とを有し、  前記他の面ファスナ４は、連結対象物２に取り付けられる摺動部材５の面ファスナ支持面６よりも連結対象物２寄りの位置に一端部４ａを連結されるとともに、他端側が前記面ファスナ支持面６上に摺動自在に支持されて摺動部材５の一端部４ａ側から他端側へのスライド移動に伴って漸次裏返されて前記面ファスナ３から剥離可能に構成される。【選択図】図３
2015040597.tif 000002
【特許請求の範囲】
【請求項１】
被連結部に連結対象物を連結する連結具であって、
被連結部に固定される面ファスナと、
該面ファスナに着脱自在に形成されて連結対象物に取り付けられる他の面ファスナとを有し、
前記他の面ファスナは、連結対象物に取り付けられる摺動部材の面ファスナ支持面よりも連結対象物寄りの位置に一端部を連結されるとともに、他端側が前記面ファスナ支持面上に摺動自在に支持されて摺動部材の一端部側から他端側へのスライド移動に伴って漸次裏返されて前記面ファスナから剥離可能な連結具。
【請求項２】
前記面ファスナは硬質の被連結部に固定可能に形成されるとともに、
前記面ファスナ支持面が硬質材料により形成される請求項１記載の連結具。
【請求項３】
前記摺動部材には、スライド移動に伴って生じる他の面ファスナの撓み変形部位を収容する収容部が形成される請求項１または２記載の連結具。
【請求項４】
前記他の面ファスナの他端側を摺動部材に連結解除容易に連結して未装着時に前記面ファスナと装着可能な姿勢に保持する姿勢保持部を有する請求項１ないし３のいずれかに記載の連結具。
【請求項５】
壁面に固定される面ファスナと、
該面ファスナに着脱自在に形成されて壁掛け具本体に取り付けられる他の面ファスナとを有し、
前記他の面ファスナは、壁掛け具本体の面ファスナ支持面よりも壁面反対方向寄りの位置に下端部を連結されるとともに、上端側が前記面ファスナ支持面上に摺動自在に支持されて壁掛け具本体の上方へのスライド移動に伴って漸次裏返されて前記面ファスナから剥離可能な壁掛け具。
【請求項６】
被連結部に連結対象物を連結する連結部の構造であって、
被連結部に面ファスナが固定されるとともに、
該面ファスナに着脱自在に形成された他の面ファスナが連結対象物に取り付けられ、
かつ、前記他の面ファスナは、連結対象物に取り付けられる摺動部材の面ファスナ支持面よりも連結対象物寄りの位置に一端部を連結されるとともに、他端側が前記面ファスナ支持面上に摺動自在に支持されて摺動部材の一端部側から他端側へのスライド移動に伴って漸次裏返されて前記面ファスナから剥離可能な連結部の構造。
【発明の詳細な説明】
【技術分野】
【０００１】
本発明は連結具、壁掛け具、および連結部の構造に関するものである。
【背景技術】
【０００２】
連結、連結解除を可能にするもので、手軽なものとして、従来、例えば特許文献１に記載される面ファスナがある。面ファスナは、具体的には例えば、表面にフック状の起毛があるフック側と、ループ状の起毛があるループ側との一対で構成され、両者を指先で押し付けることによりフックがループに係止して連結される。連結時にはフックとループの多数が係止しているために、連結強度が良好になる。連結解除は、ループとの係止が解除されるまでフックを弾性変形させればよい。但し、多数のフックの全てを同時に弾性変形させるには多大な力を要することから、具体的には、フック側とループ側の双方の面ファスナを指先で離隔方向に捲り返すように引っ張るなどすることにより、捲り返しの基端部分にある適数のフックのみを順次弾性変形させ、引き剥がすようにしてなされる。
【先行技術文献】
【特許文献】
【０００３】
【特許文献１】特開２０１２-１２０６８４号公報
【発明の開示】
【発明が解決しようとする課題】
【０００４】
しかしながら、上述のように面ファスナは連結解除の際に指先で捲り返すように引っ張る操作をするために、例えば、このような操作をするのに十分なスペースが確保できないような場合には採用するのが困難になってしまうなど、使い勝手が悪いという欠点がある。
【０００５】
本発明は以上の欠点を解消すべくなされたものであって、手軽で、使い勝手の良い連結具の提供を目的とする。また、本発明の他の目的は、手軽で、使い勝手のよい壁掛け具、連結部の構造の提供にある。
【課題を解決するための手段】
【０００６】
本発明によれば、上記目的は、
被連結部１に連結対象物２を連結する連結具であって、
被連結部１に固定される面ファスナ３と、
該面ファスナ３に着脱自在に形成されて連結対象物２に取り付けられる他の面ファスナ４とを有し、
前記他の面ファスナ４は、連結対象物２に取り付けられる摺動部材５の面ファスナ支持面６よりも連結対象物２寄りの位置に一端部４ａを連結されるとともに、他端側が前記面ファスナ支持面６上に摺動自在に支持されて摺動部材５の一端部４ａ側から他端側へのスライド移動に伴って漸次裏返されて前記面ファスナ３から剥離可能な連結具を提供することにより達成される。
【０００７】
本発明によれば、連結具は、一対の面ファスナ３、４を利用して構成され、これらを押し付けることにより手軽に連結可能に形成される。一対の面ファスナ３、４の一方４が取り付けられる連結対象物２には摺動部材５が取り付けられ、この摺動部材５には面ファスナ支持面６が形成されており、面ファスナ４は面ファスナ支持面６上に支持されることで上述のように押し付けたときに他方の面ファスナ３と連結することができる。
【０００８】
また、上述した面ファスナ３、４の一方４は、一端部４ａが面ファスナ支持面６よりも連結対象物２寄りの位置で摺動部材５に連結されて他方の面ファスナ３と連結不能にされるとともに、他端側が面ファスナ支持面６上に摺動自在に支持されて摺動部材５と相対移動可能にされる。このため、他方の面ファスナ３に押し付けたときには、一端部４ａが摺動部材５のみに、他端側が他方の面ファスナ３のみに連結されることから、摺動部材５を一端部４ａ側から他端側にスライド移動させれば、他端側が他方の面ファスナ３との連結解除を伴って撓む。面ファスナ３、４同士の連結解除は、スライド移動量の増大に伴って漸次進行するために、撓み変形の基端部分にある適数のフック等のみを順次弾性変形させれば足りることから、摺動部材５のスライド移動操作に多大な力を要することはない。
【０００９】
したがって本発明によれば、面ファスナ３、４同士を捲り返すように引っ張ったときとほぼ同様の連結解除の挙動、振る舞いを摺動部材５のスライド移動によって実現することができ、あまり場所を取らないスライド移動操作のスペースさえあれば使用できるために、使い勝手を極めて高めることができる。また連結解除操作を実質的に、特定の方向へのスライド移動操作のみに限ることが可能になることから、妄りな連結解除のおそれを解消することも可能になる。
【００１０】
さらに、連結解除がスライド移動操作によって実現されることから、面ファスナ３、４同士を捲り返すように引っ張る場合のように、面ファスナ３（４）が取り付けられる部分に柔軟性を要さない。この性格を利用し、面ファスナ３、４の一方３を硬質の被連結部１に固定可能に形成した上で、面ファスナ支持面６を硬質材料により形成した場合には、連結状態での面ファスナ３、４の妄りな撓み変形が規制され、連結状態の安定性が極めて向上する。
【００１１】
また、上述のように摺動部材５のスライド移動操作に伴って面ファスナ４の他端側を撓ませる場合において、摺動部材５にスライド移動に伴って生じる他の面ファスナ４の撓み変形部位を収容する収容部７を形成した場合には、撓み変形がスムーズになるためにスライド移動時の操作力を良好に低減して操作性を高めることができる。
【００１２】
さらに、上述のように面ファスナ４の他端側を面ファスナ支持面６により摺動自在に支持する場合において、当該他端側を摺動部材５に連結解除容易に連結して未装着時に面ファスナ３と装着可能な姿勢に保持するとともに、摺動部材５のスライド移動により連結解除される姿勢保持部８を設けた場合には、他端側の不要な撓みが規制されるために連結操作がしやすくなる。姿勢保持部８は、摺動部材５に面ファスナ４の他端側に係止する係止部を設けて構成したり、あるいは、他端側と面ファスナ支持面６の双方に鉄板とマグネットシートを取り付けたり、さらには、これらのいずれかに低粘着性の粘着層を設けて構成することが可能である。
【００１３】
また、上述のように面ファスナ３を利用した手軽な連結部の構造は、壁面１に対して壁掛け具を固定する際にも活用することができる。すなわち、
壁面１に固定される面ファスナ３と、
該面ファスナ３に着脱自在に形成されて壁掛け具本体１０に取り付けられる他の面ファスナ４とを有し、
前記他の面ファスナ４は、壁掛け具本体１０の面ファスナ支持面６よりも壁面１反対方向寄りの位置に下端部４ａを連結されるとともに、上端側が前記面ファスナ支持面６上に摺動自在に支持されて壁掛け具本体１０の上方へのスライド移動に伴って漸次裏返されて前記面ファスナ３から剥離可能な壁掛け具を提供すれば、手軽さと使い勝手、さらには連結状態の安定性をも備えた壁掛け具が実現される。
【００１４】
なお、上述のように被連結部（壁面）１に固定される面ファスナ３について、他の面ファスナ４よりも面積を広くしておけば、面ファスナ３、４同士の簡易な着脱性をも活用して、連結対象物２や壁掛け具の被連結部等１における連結位置の調整が簡単になる。
【発明の効果】
【００１５】
以上の説明から明らかなように、本発明によれば、手軽で、使い勝手のよい連結具や、壁掛け具、連結部の構造を提供することができる。これにより、例えば壁に様々なものを手軽に取り付けたり、掛けたりするなどして室内空間を有効に活用することができる。
【図面の簡単な説明】
【００１６】
【図１】本発明に係る連結具を用いて額縁を壁面に取り付けた状態を示す図で、（ａ）は正面図、（ｂ）は側面図である。
【図２】連結具を示す図で、（ａ）は面ファスナの一方を摺動部材に取り付けたものを示す正面図、（ｂ）はその側面図、（ｃ）は治具の正面図である。
【図３】連結解除操作を説明する図で、（ａ）は操作初期状態を示す側面図、（ｂ）は操作終期状態を示す側面図である。
【図４】第２の実施の形態を示す図で、（ａ）は連結具を収納ボックスに取り付けた状態を示す斜視図である。
【図５】第２の実施の形態に係る連結具を示す図で、（ａ）は面ファスナの一方を摺動部材に取り付けたものを示す正面図、（ｂ）はその側面図である。
【図６】面ファスナの他方を補助支持部材に取り付けたものを示す正面図、（ｂ）はその側面図である。
【図７】壁面に収納ボックスを取り付けた状態を示す平面図である。
【図８】第２の実施の形態の変形例を示す図で、（ａ）は面ファスナの他方に治具を重ねた状態を示す正面図、（ｂ）はオス側部材の側面図である。
【図９】変形例において壁面に収納ボックスを取り付けた状態を示す側面図である。
【図１０】本発明に係る壁掛け具を示す図で、（ａ）は背面図、（ｂ）は側面図である。
【図１１】壁面に取り付けた状態を示す側面図である。
【発明を実施するための形態】
【００１７】
図１ないし図３に本発明の第１の実施の形態を示す。この実施の形態は、絵画２０を収容した額縁２（連結対象物２）を壁面１（被連結部１）に取り付けるに際して本発明に係る連結具Ａを用いるものである。図１（ａ）および（ｂ）に示すように、額縁２の背面の上部両側縁部にはフック側の面ファスナ（他の面ファスナ４）が取付られ、壁面１の対応位置にはループ側の面ファスナ（面ファスナ３）が固定される。
【００１８】
連結具Ａは、図２に示すように、上述したフック側の面ファスナ４を摺動部材５に連結して形成されるオス側部材２１と、上述のループ側の面ファスナ３からなるメス側部材２２とを有する。双方の面ファスナ３、４はほぼ同じ幅寸法の短冊近似形状に形成され、その長さはフック側の面ファスナ４が少しだけより長寸にされる。
【００１９】
上記摺動部材５は、硬質材料により形成され、具体的にはこの実施の形態においてはステンレスの板材を折曲等して形成される。この摺動部材５は、フック側の面ファスナ４の一端部４ａと連結される面ファスナ連結部２３と、フック側の面ファスナ４の他端側をループ側の面ファスナ３と連結可能に支持する面ファスナ支持部２４と、額縁２に取り付けられる取付部２５とを有する。上記面ファスナ支持部２４は、面ファスナ３（４）と同じ程度の幅寸法の平板状に形成され、表面にフック側の面ファスナ４を支持する面ファスナ支持面６を備える。
【００２０】
上記面ファスナ連結部２３は、面ファスナ支持部２４の一端縁から裏面側に向かって傾斜状に延設されて先端部にバーリング加工によりネジ穴が開設された傾斜板材２６と、この傾斜板材２６の先端部の裏面に重ねられ、上記ネジ穴に対応する位置にネジ挿入孔が開設された押さえ板材２７とを有する。押さえ板材２７の傾斜部材２６側の外表面にはローレット加工が施されて摩擦抵抗が高められ、フック側の面ファスナ４は、傾斜板材２６にネジ止めされる押さえ板材２７と傾斜板材２６との間で一端部４ａを挟持され、また、ネジ２８により抜け止めされる。
【００２１】
上記取付部２５は、摺動部材５の両端部に配置される。図２（ａ）および（ｂ）において上方に配置される取付部２５は、面ファスナ支持部２４の面ファスナ連結部２３とは反対の辺縁から裏面側に延設される中継壁２９と、この中継壁２９の先端から面ファスナ３支持部と平行な方向に延設される取付壁３０とを有して側面視Ｌ字状に形成され、取付壁３０には額縁２にネジ止め可能なネジ挿通孔３０ａが穿孔される。また、下方に配置される取付部２５は、面ファスナ連結部２３の面ファスナ支持部２４とは反対の辺縁から面ファスナ３支持部と平行方向に延設され、同様にネジ挿通孔３０ａが穿孔される平板状からなる。
【００２２】
したがってオス側部材２１は、摺動部材５の取付部２５を額縁２の背面にネジ２８でネジ止めすることにより額縁２に固定される。固定状態において、フック側の面ファスナ４は、面ファスナ連結部２３に連結される一端部４ａを中心にして捲り返し可能に他端側を背面から面ファスナ支持部２４により支持される。ループ側の面ファスナ３が固定された壁面１に向かって額縁２が押し込まれると、面ファスナ支持面６により支持されたフック側の面ファスナ４の他端側は表面をループ側の面ファスナ３に押し付けられて該ループ側の面ファスナ３と連結される。このとき、摺動部材５に連結される一端部４ａは、表面を押さえ板材２７により覆われ、また、面ファスナ支持部２４よりも背面側に位置することから、ループ側の面ファスナ３とは非連結状態に保持される。
【００２３】
さらに、以上の連結具Ａには、上述したように額縁２を壁面１に固定する際に、捲り返し可能に支持されるフック側の面ファスナ４の他端側が振動等で捲り返されてループ側の面ファスナ３と連結できなくなってしまうのを防ぐために、姿勢保持部８が形成される。この姿勢保持部８は、摺動部材５に形成されてフック側の面ファスナ４の他端縁部に係止する係止片３１を有し、該係止片３１は具体的には、面ファスナ支持部２４の面ファスナ連結部２３とは反対側に位置する取付壁３０の先端から面ファスナ支持部２４に向かって立ち上がる立ち上がり壁３２の先端に形成される。この係止片３１の先端は面ファスナ支持部２４よりも背面側に位置し、フック側の面ファスナ４の他端縁部を背面側に撓ませることで係止する。
【００２４】
また、以上の係止片３１を係止させるために、フック側の面ファスナ４の他端縁部には、係止片３１の断面とほぼ同じ程度の開口面積を備えた開口部３３が開設される。この開口部３３は開放部３３ａを介してフック側の面ファスナ４の他端縁に開放しており、この開放部３３ａ、および上述したように係止片３１の高さが面ファスナ支持面６よりも低いことにより、フック側の面ファスナ４は係止片３１との係止解除がしやすくされる。
【００２５】
一方、上述した壁面１が石膏ボードにより形成されるこの実施の形態において、メス側部材２２、すなわちループ側の面ファスナ３は、壁面１にステープル９により止着される。このステープル９は、具体的には、文房具として広く利用される１０号のサイズのものであり、したがって打ち込み作業が手軽で、また、一般的な画鋲よりも線形が細いためにループ側の面ファスナ３を取り外した後でも打ち込み跡があまり目立たない。なお、ループ側の面ファスナ３は、後述する第２の実施の形態におけるように、壁面１に対して粘着テープ４２により固定することも可能である。
【００２６】
また、上記ステープル９の打ち込みによってループ側の面ファスナ３を壁面１に良好に固定するために、連結具Ａは治具５０を備える。この治具５０は、ループ側の面ファスナ３とほぼ同じサイズの薄板状をなし、図２（ｃ）に示すように、テープル９の頭部よりもひとまわり大きい広さの透孔からなる窓部５０ａの複数を備える。具体的には治具５０は紙により構成することが可能である。また、上記窓部５０ａは治具５０の表面全面に均等に所定ピッチでマトリクス状に配置される。
【００２７】
したがって壁面１に額縁２を固定するに際しては、先ず、壁面１における額縁２を固定したい位置にループ側の面ファスナ３を適宜位置合わせしたら、その表面に治具５０を重ねて表面側から手で押さえつけるなどした上で、ステープラを用いて窓部５０ａを通してステープル９を打ち込む。この際、窓部５０ａを目安にすることにより、図３（ｃ）に示すように、適数のステープル９によってループ側の面ファスナ３を容易に、全体的にバランス良くしっかりと壁面１に固定することができる。なお、ループ側の面ファスナ３は、一般に、フック側の面ファスナ４に比べて起毛が長く、より柔らかいために、ステープル９はこの後なされるフック側の面ファスナ４との連結をあまり邪魔することなく、かつ、深くしっかりと壁面１に打ち込まれる。ループ側の面ファスナ３を壁面１に固定したら治具５０を取り外しておき、また、以上のループ側の面ファスナ３の壁面１への固定と並行して、上述したように額縁２にオス側部材２１を取り付ける。
【００２８】
以上の準備が整ったら、係止片３１を開口部３３に係止させ、フック側の面ファスナ４の他端側を額縁２の背面とほぼ並行な姿勢にした後、ループ側の面ファスナ３に押し付けるようにして額縁２を壁面１に向かって押し込む。これにより、双方の面ファスナ３、４が連結され、額縁２が壁面１に固定される。図３（ａ）はこの固定状態を示すもので、上述したようにフック側の面ファスナ４は他端側のみにおいてループ側の面ファスナ３と連結される。
【００２９】
また、連結具Ａが額縁２の上部のみに配置されるこの実施の形態において、図１（ｂ）に示すように、額縁２の下部には支持体３４が取り付けられる。この支持体３４は、ブロック状の本体部３４ａの背面に滑り止め３４ｂを取り付けて形成され、連結具Ａから離れた位置にある額縁２の下部が壁面１に近接する方向に傾いてしまうのを防ぐ。上記本体部３４ａはオス側部材２１と同じ程度の幅寸法に形成され、図示しない接着剤等により額縁２の背面に固定される。
【００３０】
さらに、上述のようにして壁面１に取り付けた額縁２の姿勢が水平に対してやや傾いてしまっていたら、取り外して姿勢を正して再度取り付け直せばよい。取り外しの際には、上方に向かって額縁２をスライド移動させれば良く、このときフック側の面ファスナ４は、一端部４ａが額縁２とともに上方に移動するが、壁面１に固定されたループ側の面ファスナ３と連結状態にある他端側は原位置に止まろうとする。このため、図３（ｂ）に示すように、他端側は面ファスナ支持面６を摺動するようにして下方に向かって摺動部材５に対して相対移動し、これにより開口部３３は係止片３１と係止解除され、また、相対移動した長さの分だけ面ファスナ連結部２３とループ側の面ファスナ３との隙間（収容部７）において下方に向かって凸に撓む。相対移動量が大きくなるにつれて撓み部位は面ファスナ連結部２３に引っ張られるようにして漸次上方に移動し、撓みの基端部分において他端側がループ側の面ファスナ３から漸次剥がされる。
【００３１】
なお、額縁２を取り外す際のスライド移動操作方向Ｆは、図３（ｂ）に示すように、額縁２の荷重方向Ｗと反対にされるために、スライド移動操作がなされないときに額縁２が妄りに壁面１から外れてしまうことはない。
【００３２】
図４ないし図７に本発明の第２の実施の形態を示す。なお、以下に説明する本発明の実施の形態や変形例において、上述した実施の形態と同一の要素は図中に同一の符号を付して説明を省略する。この実施の形態において、連結具Ａは、壁面１に収納ボックス２を取り付けるために用いられる。図４に示すように、収納ボックス２の背板の背面にはオス側部材２１が四隅近傍にそれぞれ取り付けられ、壁面１の四箇所の対応位置にはメス側部材２２がそれぞれ固定される。
【００３３】
また、この実施の形態においては、収納ボックス２に誤って斜め上方にやや引っ張る力が加わってしまったようなときに、フック側の面ファスナ４がループ側の面ファスナ３との連結状態を維持したまま、ループ側の面ファスナ３への連結下端縁と、面ファスナ連結部２３への連結上端縁との間の中間部位を揺動させてしまうのを防ぐための揺動防止部３５が設けられる。
【００３４】
この揺動防止部３５は、摺動部材５に設けられる係止部３６と、メス側部材２２に設けられ、面ファスナ３、４同士の連結状態において上記係止部３６により係止される被係止部３７とで構成される。上記係止部３６は、図５（ａ）および（ｂ）に示すように、面ファスナ支持部２４の両側縁から側方に突出して形成される。
【００３５】
一方、被係止部３７は、ループ側の面ファスナ３とともにメス側部材２２を構成する揺動防止体３８に形成される。この揺動防止体３８は、適宜の弾性を備えた弾性材料により形成され、具体的にはこの実施の形態においてはアルミニウム等の板材を折り曲げて形成される。上記揺動防止体３８は、図６および図７に示すように、背面側が粘着テープ４２により壁面１に取り付けられ、表面側にはループ側の面ファスナ３が取り付けられる底板材３９と、この底板材３９の両側縁部から延設される脚状板材２７とを有する。脚状板材２７は、底板材３９の両側縁から幅方向に底板材３９から離れるに従って漸次表面側に所定長延設される基端部４０ａと、この基端部４０ａから底板材３９に向かって内側に折り返すようにして、かつ、基端部４０ａとの間に適宜の隙間を隔てて形成される折り返し部４０ｂとを有し、押し返し部４０ｂの先端はフック側とループ側の双方の面ファスナ３、４を重ねた程度の間隔で底板材３９と離隔し、また、一対の折り返し部４０ｂ、４０ｂの先端同士は、上述のように面ファスナ支持部２４の両側縁に形成される係止部３６の先端同士の間隔よりもやや狭い間隔を隔てる。
【００３６】
したがってこの実施の形態において、オス側部材２１を取り付けた収納ボックス２を壁面１に向かって押し込むと、面ファスナ３同士が連結される前に係止部３６が折り返し部４０ｂに衝接し、この状態でさらに押し込むと、折り返し部４０ｂが係止部３６に押されて基端部４０ａ側に弾性変形することにより係止部３６との衝接が解除され、面ファスナ３、４同士を連結することができる。面ファスナ３、４同士を連結させて係止部３６が折り返し部４０ｂの先端部を乗り越えると、折り返し部４０ｂは弾性復帰して係止部３６により係止される位置をとる。折り返し部４０ｂ先端（被係止部３７）への係止部３６の係止により、フック側の面ファスナ４は脚状板材４０によってループ側の面ファスナ３から離れる方向への移動を規制され、これにより上述した中間部位の揺動が防止される。すなわち、この状態において収納ボックス２は、面ファスナ３、４同士を連結解除させるスライド移動操作以外ができなくなる。
【００３７】
図８および図９に第２の実施の形態の変形例を示す。この変形例において、上述した揺動防止部３５は、フック側とループ側のそれぞれの面ファスナ３、４１により構成される。収納ボックス２には、フック側の面ファスナ４を備えたオス側部材２１のほかに、揺動防止部３５を構成するフック側の面ファスナの単体４１が粘着テープ４２により上面の背面寄りの位置に固定される。
【００３８】
また、図８（ａ）に示すように、ループ側の面ファスナ３は第２の実施の形態等に比べて長尺に形成され、その下端部のみが壁面１に固定されることにより、その上端部３ａが揺動防止部３５を構成する。壁面１への固定に際しては、同図に示すように、上述した実施の形態における治具５０の下端縁をループ側の面ファスナ３の下端縁に位置合せすれば、ループ側の面ファスナ３の下端部のみをステープル９によって壁面１にしっかりと固定することができる。
【００３９】
したがって、壁面１に固定したループ側の面ファスナ３の下端部４ａに対し、収納ボックス２の背面上端部に固定されたオス側部材２１のフック側の面ファスナ４を連結させた上で、さらに、図９に示すように、ループ側の面ファスナ３の上端部３ａを収納ボックス２の上面に配置されたフック側の面ファスナ４に重ねて連結させることができる。この連結により、収納ボックス２は、その上面と背面の双方において壁面１と連結されるために、上述したようにオス側部材２１の面ファスナ３の中間部位を揺動させてしまうような移動が規制される。
【００４０】
また、この実施の形態において、上述した姿勢保持部８は、磁力によってフック側の面ファスナ４の不要な捲り返しを防止する。具体的には、姿勢保持部８は、マグネットシート４３と、このマグネットシート４３が磁力により吸着可能な鉄板等の薄板材４４とからなる。これらマグネットシート４３と薄板材４４とは、摺動部材５の面ファスナ支持面６と、オス側部材２１のフック側の面ファスナ４の他端側の裏面とに図外の接着剤等により固定される。
【００４１】
図１０および図１１に本発明に係る壁掛け具Ｂを示す。壁掛け具Ｂは、フック側の面ファスナ４が取り付けられたフック、すなわち吊り下げ具（壁掛け具本体１０）と、上述同様に壁面１に固定されるループ側の面ファスナ３とを有する。
【００４２】
上記吊り下げ具１０は、硬質材料により形成され、具体的にはこの実施の形態においてはステンレスの板材を折曲等して形成される。この吊り下げ具１０は、面ファスナ支持部２４と、面ファスナ連結部２３と、係止片３１とを有し、また、荷物を吊り下げ可能なフック部４６が面ファスナ連結部２３の一端から延設される。フック側の面ファスナ４は、面ファスナ連結部２３によって吊り下げ具１０の背面に固定され、また、面ファスナ支持面６により吊り下げ具１０の背面側で支えられる。
【００４３】
上記係止片３１は、面ファスナ３支持部から表面側に向かって傾斜状に延設される支持片４７の裏面から突出して形成され、先端が面ファスナ支持部２４の底面よりもやや表面側に位置する。また、上記フック部４６は、側面視においてＵ字近似の形状をなし、面ファスナ３、４同士の連結状態において壁面１に最も近い部位は、フック側の面ファスナ４の表面とほぼ同一面上に位置する。
【００４４】
以上の壁掛け具Ｂにより吊り下げられる荷物の荷重方向Ｗは、壁掛け具Ｂを壁面１から取り外す際のスライド移動操作方向Ｆである上方と反対であり、したがって荷物を吊り下げた状態で壁掛け具Ｂが壁面１から容易に外れてしまうことはない。また、吊り下げられた荷物が吊り下げ具１０を下方に引っ張るために、フック側の面ファスナ４の中間部位は緊張状態になり、上述したような揺動も生じにくくなる。
【００４５】
なお、上述した実施の形態や変形例においては、着脱可能な一組の面ファスナ３、４をフック側のものとループ側のものとで構成した場合を示したが、フックとループの双方を備えたものの一組を利用したり、鋸歯状やマッシュルーム状など適宜形状のものを採用することも可能である。また、連結具Ａにおけるフック側とループ側の面ファスナ３、４の配置を入れ替えても足りる。さらに、設置環境等に応じてフック側の面ファスナ４の向きを変更することにより、上述したスライド移動操作方向を上方以外の横方向などに設定することも可能である。
【符号の説明】
【００４６】
１    被連結部
２    連結対象物
３    面ファスナ
４    他の面ファスナ
４ａ  一端部
４ｂ  中間部
５    摺動部材
６    面ファスナ支持面
７    収容部
８    姿勢保持部
９    ステープル
１０    壁掛け具本体
【図１】
2015040597.tif 000003
【図２】
2015040597.tif 000004
【図３】
2015040597.tif 000005
【図４】
2015040597.tif 000006
【図５】
2015040597.tif 000007
【図６】
2015040597.tif 000008
【図７】
2015040597.tif 000009
【図８】
2015040597.tif 000010
【図９】
2015040597.tif 000011
【図１０】
2015040597.tif 000012
【図１１】
2015040597.tif 000013